(57)【要約】      （修正有）【課題】組立可能な家具の形状の多様化が図られる組立家具を提供する。【解決手段】組立家具は、複数の棒状部材１１と、棒状部材が挿通される挿通孔３０を外面に複数備えた金属製の球体２１と、を有する。複数の挿通孔には、球体の中心をＸＹＺ座標系の原点ＯとしたときのＸ軸、Ｙ軸及びＺ軸上に配置される複数のメイン挿通孔３１と、ＸＹ平面内に配置されてそれらＸ軸及びＹ軸と原点Ｏで交差する複数の第１交差軸上に配置される複数の第１サブ挿通孔３２Ａと、Ｚ軸を回転軸とし、原点ＯでＸＹ平面に対して斜めに交差する第２交差軸を母線としたときの円錐面上に配置される複数の第２サブ挿通孔３２Ｂと、が含まれる。【選択図】図１１
0003215984.tif 000002
【実用新案登録請求の範囲】
【請求項１】
複数の棒状部材と、
前記棒状部材が挿通される挿通孔を外面に複数備えた金属製の球体と、を有する組立家具であって、
複数の前記挿通孔には、
前記球体の中心を、互いに直交するＸ軸、Ｙ軸及びＺ軸で定められるＸＹＺ座標系の原点としたときの前記Ｘ軸、前記Ｙ軸及び前記Ｚ軸上に配置される複数のメイン挿通孔と、
ＸＹ平面内に配置されて前記Ｘ軸及び前記Ｙ軸と前記原点で交差する複数の第１交差軸上に配置される複数の第１サブ挿通孔と、
前記Ｚ軸を回転軸とし、前記原点で前記ＸＹ平面に対して斜めに交差する第２交差軸を母線としたときの円錐面上に配置される複数の第２サブ挿通孔と、が含まれる、組立家具。
【請求項２】
前記球体をＺ軸方向から見たときに、前記ＸＹ平面に含まれる複数の前記メイン挿通孔と複数の前記第１サブ挿通孔が前記Ｚ軸の回りに等間隔に配置されている、請求項１に記載の組立家具。
【請求項３】
１又は複数の前記第２交差軸が、前記Ｚ軸と前記ＸＹ平面とのなす角を等分するように配置されている、請求項２に記載の組立家具。
【請求項４】
前記球体をＺ軸方向から見たときに、前記第２交差軸が、前記Ｘ軸、前記Ｙ軸及び前記第１交差軸のうち何れかの軸と重なる、請求項１乃至３のうち何れか１の請求項に記載の組立家具。
【請求項５】
前記第２サブ挿通孔は、前記球体の外面と前記円錐面との交線として得られる２つの交円を周方向に等分するように配置されている、請求項１乃至４のうち何れか１の請求項に記載の組立家具。
【請求項６】
前記棒状部材は、カーボン繊維強化樹脂からなり、曲げ強度が５００〜２０００ＭＰａであることを特徴とする、請求項１乃至５のうち何れか１の請求項に記載の組立家具。
【請求項７】
前記球体は、殻部とその殻部の内側に収容される金属塊とからなり、
前記複数の挿通孔は、前記殻部を貫通し、
前記金属塊は、前記挿通孔に挿通される前記棒状部材の端部と当接するように構成されている、請求項１乃至６のうち何れか１の請求項に記載の組立家具。
【請求項８】
前記複数の棒状部材は、一の挿通孔に挿通された一の棒状部材の端部が別の挿通孔に挿通された別の棒状部材と当接することにより前記球体に固定されるように構成されている、請求項１乃至６のうち何れか１の請求項に記載の組立家具。
【考案の詳細な説明】
【技術分野】
【０００１】
本考案は、複数の棒状部材と、棒状部材が挿通される挿通孔を外面に複数備えた球体と、を有する組立家具に関する。
【背景技術】
【０００２】
特許文献１には、家具の基本骨格が、柱となる垂直部材と、天板や底板の枠を構成する水平部材とを組み合わせて作られる組立家具が示されている。
【先行技術文献】
【特許文献】
【０００３】
【特許文献１】特開２００４−０９７４２５号公報（段落［００１０］〜［００１３］、図１〜６）
【考案の概要】
【考案が解決しようとする課題】
【０００４】
特許文献１の組立家具では、水平部材同士の連結や水平部材と垂直部材の連結のバリエーションが少ないため、組立可能な家具の形状に限りがあるという問題があった。
【０００５】
本考案は、上記事情に鑑みてなされたもので、組立可能な家具の形状の多様化が図られる組立家具の提供を目的とする。
【課題を解決するための手段】
【０００６】
上記目的を達成するためになされた請求項１の考案は、複数の棒状部材と、前記棒状部材が挿通される挿通孔を外面に複数備えた金属製の球体と、を有する組立家具であって、複数の前記挿通孔には、前記球体の中心を、互いに直交するＸ軸、Ｙ軸及びＺ軸で定められるＸＹＺ座標系の原点としたときの前記Ｘ軸、前記Ｙ軸及び前記Ｚ軸上に配置される複数のメイン挿通孔と、ＸＹ平面内に配置されて前記Ｘ軸及び前記Ｙ軸と前記原点で交差する複数の第１交差軸上に配置される複数の第１サブ挿通孔と、前記Ｚ軸を回転軸とし、前記原点で前記ＸＹ平面に対して斜めに交差する第２交差軸を母線としたときの円錐面上に配置される複数の第２サブ挿通孔と、が含まれる、組立家具である。
【０００７】
請求項２の考案は、前記球体をＺ軸方向から見たときに、前記ＸＹ平面に含まれる複数の前記メイン挿通孔と複数の前記第１サブ挿通孔が前記Ｚ軸の回りに等間隔に配置されている、請求項１に記載の組立家具である。
【０００８】
請求項３の考案は、１又は複数の前記第２交差軸が、前記Ｚ軸と前記ＸＹ平面とのなす角を等分するように配置されている、請求項２に記載の組立家具である。
【０００９】
請求項４の考案は、前記球体をＺ軸方向から見たときに、前記第２交差軸が、前記Ｘ軸、前記Ｙ軸及び前記第１交差軸のうち何れかの軸と重なる、請求項１乃至３のうち何れか１の請求項に記載の組立家具である。
【００１０】
請求項５の考案は、前記第２サブ挿通孔は、前記球体の外面と前記円錐面との交線として得られる２つの交円を周方向に等分するように配置されている、請求項１乃至４のうち何れか１の請求項に記載の組立家具。
【００１１】
請求項６の考案は、前記棒状部材は、カーボン繊維強化樹脂からなり、曲げ強度が５００〜２０００ＭＰａであることを特徴とする、請求項１乃至５のうち何れか１の請求項に記載の組立家具である。
【００１２】
請求項７の考案は、前記球体は、殻部とその殻部の内側に収容される金属塊とからなり、前記複数の挿通孔は、前記殻部を貫通し、前記金属塊は、前記挿通孔に挿通される前記棒状部材の端部と当接するように構成されている、請求項１乃至６のうち何れか１の請求項に記載の組立家具である。
【００１３】
請求項８の考案は、前記複数の棒状部材は、一の挿通孔に挿通された一の棒状部材の端部が別の挿通孔に挿通された別の棒状部材と当接することにより前記球体に固定されるように構成されている、請求項１乃至６のうち何れか１の請求項に記載の組立家具である。
【考案の効果】
【００１４】
本考案によれば、球体の中心を原点とするＸＹＺ座標系の互いに直交するＸ軸、Ｙ軸及びＺ軸の上に配置されるメイン挿通孔に棒状部材を挿通して、複数の棒状部材を複数の球体で連結することにより、３次元構造体を形成することが可能となる。また、球体には、メイン挿通孔の他に、ＸＹ平面内に配置されてＸ軸及びＹ軸と原点で交差する複数の第１交差軸上に配置される第１サブ挿通孔と、Ｚ軸を回転軸とし、原点でＸＹ平面に対して斜めに交差する第２交差軸を母線としたときの円錐面上に配置される複数の第２サブ挿通孔と、が備えられているので、Ｘ軸、Ｙ軸及びＺ軸に対して斜めの方向に棒状部材を延ばすことが可能となり、複雑な３次元構造体を形成することが可能となる。これにより、組立可能な家具の形状の多様化が図られる。
【００１５】
ここで、請求項２の考案のように、メイン挿通孔と第１サブ挿通孔が、球体をＺ軸方向から見たときに、Ｚ軸の回りに等間隔に配置されれば、ＸＹ平面上に配置される挿通孔がＺ軸の回りに対称的に配置されることになり、一の球体の第１サブ挿通孔に挿通された棒状部材を別の球体の第１サブ挿通孔に挿通し易くなる。さらに、請求項３の考案のように、１又は複数の第２交差軸が、Ｚ軸とＸＹ平面とのなす角を等分するように配置されれば、球体の挿通孔が３次元で対称的に配置されることになり、一の球体の第２サブ挿通孔に挿通された棒状部材を別の球体の第２サブ挿通孔に挿通し易くなる。
【００１６】
また、請求項４の考案のように、球体をＺ軸方向から見たときに、前記第２交差軸が、前記Ｘ軸、前記Ｙ軸及び前記第１交差軸のうち何れかの軸と重なれば、第２挿通孔に挿通される棒状部材を、メイン挿通孔又は第１サブ挿通孔に挿通される棒状部材に重ねて配置することが可能となる。
【００１７】
また、請求項５の考案のように、球体の外面と円錐面との交線として得られる２つの交円を周方向に等分するように第２サブ挿通孔が配置されていれば、第２サブ挿通孔の対称性を増すことができる。
【００１８】
棒状部材は、請求項６の考案のように、組立家具の軽量化及び組立家具の強度の観点から、カーボン繊維強化樹脂からなることが好ましく、特に、曲げ強度が５００〜２０００ＭＰａであることが、組み立てられた家具の形状維持の観点から好ましい。
【００１９】
棒状部材の球体への固定は、接着材を用いて行われてもよいし、接着剤を用いずに行われてもよい。接着剤を用いずに棒状部材を固定する例としては、請求項７の考案のように、球体を、殻部とその殻部の内側に収容される金属塊とで構成して、殻部に複数の挿通孔を貫通形成し、金属塊を挿通孔に挿通される棒状部材の端部と当接するように構成すればよい。この構成によれば、２つの球体の挿通孔に挿通された棒状部材は、各球体の金属塊に当接することで２つの球体の間に挟まれて固定される。また、接着剤を用いずに棒状部材を固定する別の例としては、請求項８の考案のように、複数の棒状部材を、一の挿通孔に挿通された一の棒状部材の端部が別の挿通孔に挿通された別の棒状部材と当接することにより球体に固定されるように構成すればよい。
【図面の簡単な説明】
【００２０】
【図１】組立家具の斜視図
【図２】棒状部材の斜視図
【図３】球体の斜視図
【図４】（Ａ）球体をＸＹ平面で切断した断面図、（Ｂ）第１交差軸を説明するための斜視図
【図５】（Ａ）球体をＹＺ平面で切断した断面図、（Ｂ）第２交差軸を説明するための斜視図
【図６】球体を（Ａ）Ｘ軸方向から見た図、（Ｂ）Ｚ軸方向から見た図
【図７】球体の別例を示す斜視図
【図８】（Ａ）球体をＸＹ平面で切断した断面図、（Ｂ）第１交差軸を説明するための斜視図
【図９】（Ａ）球体をＹＺ平面で切断した断面図、（Ｂ）第２交差軸を説明するための斜視図
【図１０】球体を（Ａ）Ｘ軸方向から見た図、（Ｂ）Ｚ軸方向から見た図
【図１１】挿通孔に棒状部材が挿通された球体の斜視図
【図１２】球体の挿通孔に挿通された棒状部材の断面図
【図１３】他の実施形態に係る球体をＺ軸方向から見た図
【図１４】（Ａ）他の実施形態に係る球体の断面図、（Ｂ）他の実施形態に係る棒状部材の断面図
【考案を実施するための形態】
【００２１】
図１に示されるように、本実施形態に係る組立家具１０は、複数の棒状部材１１と複数の球体２１を有する。複数の棒状部材１１と複数の球体２１は、家具の基本骨格を構成するために用いられる。なお、図１には、組立家具１０の一例として、テーブルが示されており、棒状部材１１と球体２１によって構成される基本骨格１０Ｋのほかに、天板１０Ｔが示されている。
【００２２】
図２に示されるように、棒状部材１１は、断面円形に形成されている。棒状部材１１には、長さの異なる複数種類があり、全ての種類の棒状部材１１において、径の大きさは同じになっている。また、棒状部材１１は、カーボン繊維強化樹脂で構成され、棒状部材１１の曲げ強度は、５００〜２０００ＭＰａとなっている。
【００２３】
図３に示されるように、球体２１は、金属（例えば、アルミやステンレス）で構成され、棒状部材１１が挿通される挿通孔３０を外面に複数備えている。図４（Ａ）に示されるように、球体２１は、中空構造になっていて、複数の挿通孔３０は、球体２１の殻部２２を貫通している。本実施形態では、挿通孔３０の孔径が、棒状部材１１の外径と略同じになっている。
【００２４】
図７には、図３で示した球体２１とは異なる種類の球体２１が示されている。以下では、図３の球体２１を第１球体２１Ａと称し、図７の球体２１を第２球体２１Ｂと称することで、２つの球体２１を適宜区別することにする。なお、組立家具１０は、第１球体２１Ａのみを備えてもよいし、第２球体２１Ｂのみを備えてもよいし、第１球体２１Ａと第２球体２１Ｂの両方を備えてもよい。
【００２５】
図３に示されるように、第１球体２１Ａは、第１球体２１Ａの中心をＸＹＺ座標系の原点ＯとしたときのＸ軸、Ｙ軸及びＺ軸上に配置されるメイン挿通孔３１を挿通孔３０として備えている。なお、ここで、ＸＹＺ座標系は、互いに直交するＸ軸、Ｙ軸及びＺ軸で定められる３軸直交座標系である。また、Ｚ軸を鉛直に配置したとき、ＸＹ平面が赤道面となる。
【００２６】
また、図４（Ａ）及び図４（Ｂ）に示されるように、第１球体２１Ａは、ＸＹ平面内でＸ軸とＹ軸の両方に原点Ｏで交差する第１交差軸Ｌ１上に配置される第１サブ挿通孔３２Ａを挿通孔３０として複数備えている。第１球体２１Ａでは、第１交差軸Ｌ１は、ＸＹ平面内でＸ軸に対して時計方向に４５度ずれたものと反時計方向に４５度ずれたものの２つ存在している。そして、ＸＹ平面上に位置するメイン挿通孔３１と第１サブ挿通孔３２Ａが、第１球体２１ＡをＺ軸方向から見たときに、Ｚ軸の回りに等間隔に配置されている。なお、第１球体２１Ａでは、メイン挿通孔３１と第１サブ挿通孔３２Ａによって、赤道が８等分されている。
【００２７】
さらに、図５（Ａ）及び図５（Ｂ）に示されるように、第１球体２１Ａは、Ｚ軸を回転軸とし、原点ＯでＸＹ平面に対して斜めに交差する第２交差軸Ｌ２を母線としたときの円錐面Ｍ１上に配置される第２サブ挿通孔３２Ｂを挿通孔３０として複数備えている。なお、第１球体２１Ａでは、第２交差軸Ｌ２は、Ｚ軸とＸＹ平面とのなす角を２等分するように配置されている。即ち、第１球体２１Ａでは、第２交差軸Ｌ２と円錐面Ｍ１が１種類のみ存在している。
【００２８】
図６（Ａ）に示されるように、第１球体２１Ａでは、複数の第２サブ挿通孔３２Ｂは、第１球体２１Ａの外面と円錐面Ｍ１との交線として得られる２つの交円Ｃ１（２つの交円Ｃ１は、ＸＹ平面を挟むように配置される。）上で開口している。また、図６（Ｂ）に示されるように、それぞれの交円Ｃ１上で、第２サブ挿通孔３２Ｂは、交円Ｃ１を周方向に等分するように配置されている。
【００２９】
詳細には、第２サブ挿通孔３２Ｂが交円Ｃ１を等分する数は、メイン挿通孔３１と第１サブ挿通孔３２Ａが赤道を等分する数と同じになっている。つまり、第２サブ挿通孔３２Ｂは、交円Ｃ１を８等分する。そして、図６（Ｂ）に示されるように、第２サブ挿通孔３２Ｂは、Ｚ軸を中心とする周方向で、メイン挿通孔３１及び第１サブ挿通孔３２Ａと同じ周位置に配置されている。別の見方をすれば、第１球体２１ＡをＺ軸方向から見たときに、第２サブ挿通孔３２Ｂと原点Ｏを結ぶ軸である第２交差軸Ｌ２は、メイン挿通孔３１と原点Ｏを結ぶ軸であるＸ軸とＹ軸、及び第１サブ挿通孔３２Ａと原点Ｏを結ぶ軸である第１交差軸Ｌ１のうち何れかの軸と重なっている。つまり、第２交差軸Ｌ２はそれぞれ、Ｚ軸とＸ軸とを含む平面上、Ｚ軸とＹ軸とを含む平面上、Ｚ軸と第１交差軸Ｌ１とを含む平面上、のいずれかに存在している。
【００３０】
図７に示されるように、第２球体２１Ｂは、第１球体２１Ａと同様に、第２球体２１Ｂの中心をＸＹＺ座標系の原点ＯとしたときのＸ軸、Ｙ軸及びＺ軸上に配置されるメイン挿通孔３１を挿通孔３０として備えている。
【００３１】
また、図８（Ａ）及び図８（Ｂ）に示されるように、第２球体２１Ｂは、第１球体２１Ａと同様に、ＸＹ平面内でＸ軸とＹ軸の両方に原点Ｏで交差する第１交差軸Ｌ１上に配置される第１サブ挿通孔３２Ａを挿通孔３０として複数備えている。ここで、第２球体２１Ｂでは、第１交差軸Ｌ１は、ＸＹ平面内でＸ軸に対して時計方向に３０度ずれたものと、Ｘ軸に対して時計方向に６０度ずれたものと、Ｘ軸に対して反時計方向に３０度ずれたものと、Ｘ軸に対して反時計方向に６０度ずれたものの４つ存在している。そして、ＸＹ平面上に位置するメイン挿通孔３１と第１サブ挿通孔３２Ａが、第２球体２１ＢをＺ軸方向から見たときに、Ｚ軸の回りに等間隔に配置されている。即ち、第２球体２１Ｂでは、メイン挿通孔３１と第１サブ挿通孔３２Ａによって、第２球体２１Ｂの外面とＸＹ平面との交線である赤道が１２等分されている。
【００３２】
さらに、図９（Ａ）及び図９（Ｂ）に示されるように、第２球体２１Ｂは、第１球体２１Ａと同様に、Ｚ軸を回転軸とし、原点ＯでＸＹ平面に対して斜めに交差する第２交差軸Ｌ２を母線としたときの円錐面Ｍ１上に配置される第２サブ挿通孔３２Ｂを挿通孔３０として複数備えている。ここで、第２球体２１Ｂでは、第２交差軸Ｌ２は、Ｚ軸とＸＹ平面とのなす角を３等分するように配置されている。即ち、第２球体２１Ｂでは、第２交差軸Ｌ２と円錐面Ｍ１が２種類存在している。
【００３３】
図１０（Ａ）及び図１０（Ｂ）に示されるように、第２球体２１Ｂでは、複数の第２サブ挿通孔３２Ｂは、第２球体２１Ｂの外面と円錐面Ｍ１との交線として得られる２つの交円Ｃ１（２つの交円Ｃ１は、ＸＹ平面を挟むように配置される。）上で開口している。また、図１０（Ｂ）に示されるように、それぞれの交円Ｃ１上で、第２サブ挿通孔３２Ｂは、交円Ｃ１を周方向に等分するように配置されている。
【００３４】
ここで、第２球体２１Ｂでは、円錐面Ｍ１が２種類存在していることから、交円Ｃ１も２種類存在する。２種類の交円Ｃ１を、第２球体２１ＢのＸＹ平面に近い側から、第１交円Ｃ１Ａ、第２交円Ｃ１Ｂと称して区別することにすると、図１０（Ｂ）に示されるように、第２サブ挿通孔３２Ｂが第１交円Ｃ１Ａを等分する数は、メイン挿通孔３１と第１サブ挿通孔３２Ａが赤道を等分する数と同じになっている。つまり、第１交円Ｃ１Ａ上に配置される第２サブ挿通孔３２Ｂは、第１交円Ｃ１Ａを１２等分する。なお、第１交円Ｃ１Ａ上に配置される第２サブ挿通孔３２Ｂは、Ｚ軸を中心とする周方向で、メイン挿通孔３１又は第１サブ挿通孔３２Ａと同じ周位置に配置されている。別の見方をすれば、第２球体２１ＢをＺ軸方向から見たときに、第１交円Ｃ１Ａ上の第２サブ挿通孔３２Ｂと原点Ｏを結ぶ第２交差軸Ｌ２は、メイン挿通孔３１と原点Ｏを結ぶ軸であるＸ軸とＹ軸、及び第１サブ挿通孔３２Ａと原点Ｏを結ぶ軸である第１交差軸Ｌ１のうち何れかの軸と重なっている。
【００３５】
また、第２サブ挿通孔３２Ｂが第２交円Ｃ１Ｂを等分する数は、メイン挿通孔３１と第１サブ挿通孔３２Ａが赤道を等分する数の半分になっている。つまり、第２交円Ｃ１Ｂ上に配置される第２サブ挿通孔３２Ｂは、第２交円Ｃ１Ｂを６等分する。なお、第２交円Ｃ１Ｂ上に配置される第２サブ挿通孔３２Ｂは、Ｚ軸を中心とする周方向で、メイン挿通孔３１又は第１サブ挿通孔３２Ａと同じ周位置に配置されている。別の見方をすれば、第２球体２１ＢをＺ軸方向から見たときに、第２交円Ｃ１Ｂ上の第２サブ挿通孔３２Ｂと原点Ｏを結ぶ第２交差軸Ｌ２は、メイン挿通孔３１と原点Ｏを結ぶ軸であるＸ軸とＹ軸、及び第１サブ挿通孔３２Ａと原点Ｏを結ぶ軸である第１交差軸Ｌ１のうち何れかの軸と重なっている。
【００３６】
図１２（Ａ）に示されるように、第２球体２１Ｂは、殻部２２の内側に金属塊２３を備えている。金属塊２３は、毬栗状をなし、その外形は、挿通孔３０の孔径より大きくなっている。なお、金属塊２３は、中実の球体の外表部分に所定深さの孔を穿孔して挿通孔３０を形成したときに残った該球体の中心部によって形成される。従って、金属塊２３の毬栗形状は、穿孔に用いたドリルの形状に起因している。
【００３７】
このように、第２球体２１Ｂでは、メイン挿通孔３１の数及び配置については、第１球体２１Ａと共通となっているが、第１サブ挿通孔３２Ａと第２サブ挿通孔３２Ｂの数及び配置については、第１球体２１Ａと異なっている。また、第２球体２１Ｂでは、殻部２２の内側に金属塊２３を備えている点が第１球体２１Ａと異なっている。
【００３８】
複数の棒状部材１１と複数の球体２１を用いて組立家具１０の基本骨格１０Ｋを作るには、複数の棒状部材１１を複数の球体２１で連結する。具体的には、図１１に示されるように、複数の棒状部材１１球体２１の挿通孔３０に挿通し、各棒状部材１１の端部を球体２１に固定する。ここで、球体２１が第２球体２１Ｂである場合には、図１２（Ａ）に示されるように、挿通孔３０に挿通された棒状部材１１の端部が金属塊２３と当接することで、棒状部材１１が第２球体２１Ｂを突き抜けることが規制される。また、球体２１が第１球体２１Ａである場合には、予め、第１球体２１Ａに別の棒状部材１１（以下、先の棒状部材１１という。）を貫通させておく。このとき、先の棒状部材１１は、第１球体２１Ａの中心を通る。この状態で、棒状部材１１を別の挿通孔３０の挿通すれば、図１２（Ｂ）に示されるように、棒状部材１１の端部が先の棒状部材１１と当接し、棒状部材１１が第１球体２１Ａを突き抜けることが規制される。なお、球体２１が第１球体２１Ａである場合、図１２（Ｃ）に示されるように、第１球体２１Ａの中心を挟んで相対する２つの挿通孔３０のそれぞれに棒状部材１１を挿通することによっても、棒状部材１１が第１球体２１Ａを突き抜けることが規制される。
【００３９】
本実施形態の組立家具１０によれば、球体２１の中心を原点ＯとするＸＹＺ座標系のＸ軸、Ｙ軸及びＺ軸の上に配置されるメイン挿通孔３１に棒状部材１１を挿通して、複数の棒状部材１１を複数の球体２１で連結することにより、３次元構造体を形成することが可能となる。また、球体２１には、メイン挿通孔３１の他に、Ｚ軸を鉛直に配置したときのＸＹ平面内に配置されてＸ軸及びＹ軸と原点Ｏで交差する複数の第１交差軸Ｌ１上に配置される第１サブ挿通孔３２Ａと、Ｚ軸を回転軸とし、原点ＯでＸＹ平面に対して斜めに交差する第２交差軸Ｌ２を母線としたときの円錐面Ｍ１上に配置される複数の第２サブ挿通孔３２Ｂと、が備えられているので、Ｘ軸、Ｙ軸又はＺ軸に対して斜めの方向に棒状部材１１を延ばすことが可能となり、複雑な３次元構造体を形成することが可能となる。これにより、組立可能な組立家具１０の形状の多様化が図られる。
【００４０】
また、本実施形態では、球体２１をＺ軸方向から見たときに、メイン挿通孔３１と第１サブ挿通孔３２ＡがＺ軸の回りに等間隔に配置されているので、球体２１の挿通孔３０がＸＹ平面内で対称的に配置されることになり、一の球体２１の第１サブ挿通孔３２Ａに挿通された棒状部材１１を別の球体２１の第１サブ挿通孔３２Ａに挿通し易くなる。さらに、本実施形態では、第２交差軸Ｌ２が、Ｚ軸とＸＹ平面とのなす角を等分するように配置されているので、球体２１の挿通孔３０が３次元で対称的に配置されることになり、一の球体２１の第２サブ挿通孔３２Ｂに挿通された棒状部材１１を別の球体２１の第２サブ挿通孔３２Ｂに挿通し易くなる。
【００４１】
また、本実施形態では、Ｚ軸方向から球体２１を見たときに、第２交差軸Ｌ２が、Ｘ軸、Ｙ軸及び第１交差軸Ｌ１のうち何れかの軸と重なるので、第２挿通孔３２Ｂに挿通される棒状部材１１を、メイン挿通孔３１又は第１サブ挿通孔３２Ａに挿通される棒状部材１１に重ねて配置することが可能となる。これにより、組立家具１０の基本骨格１０Ｋを構成する棒状部材１１の数を増加させ易くなり、基本骨格１０Ｋの強度アップが図られる。
【００４２】
［他の実施形態］
本考案は、上記実施形態に限定されるものではなく、例えば、以下に説明するような実施形態も本考案の技術的範囲に含まれ、さらに、下記以外にも要旨を逸脱しない範囲内で種々変更して実施することができる。
【００４３】
（１）上記実施形態において、第１球体２１Ａが殻部２２の内側に金属塊２３を備える構成であってもよい。また、第２球体２１Ｂが金属塊２３を備えない構成であってもよい。
【００４４】
（２）上記実施形態において、金属塊２３は、毬栗形状に構成されていたが、直方体状や正多面体状に構成されてもよいし、球状に構成されてもよい。なお、上記実施形態では、金属塊２３は、中軸の金属球に複数の挿通孔３０を穿孔する過程で形成されていたが、金属塊２３のみを予め製造しておき、１対の椀状体を接合して殻部２２を形成するときに、それら１対の椀状体の間に金属塊２３を挟んでもよい。
【００４５】
（３）上記実施形態の第１球体２１Ａと第２球体２１Ｂでは、第１交差軸Ｌ１がＸ軸とＹ軸のなす角を等分する数と、第２交差軸Ｌ２がＺ軸とＸＹ平面とのなす角を等分する数と、が同じになっていたが、異なっていてもよい。具体的には、上記実施形態の第１球体２１Ａにおいて、第２交差軸Ｌ２がＺ軸とＸＹ平面とのなす角を３つ以上に等分してもよいし、上記実施形態の第２球体２１Ｂにおいて、第１交差軸Ｌ１がＸ軸とＹ軸のなす角を４つ以上に等分してもよい。
【００４６】
（４）図１３に示されるように、球体２１をＺ軸方向から見たときに、第２交差軸Ｌ２が、Ｘ軸、Ｙ軸及び第１交差軸Ｌ１からずれて配置されてもよい。なお、図１３（Ａ）には、第１球体２１Ａにおける第２交差軸Ｌ２の配置を変更した例が、図１３（Ｂ）には、第２球体２１Ｂにおける第２交差軸Ｌ２の配置を変更した例が示されている。
【００４７】
（５）第２サブ挿通孔３２Ｂが交円Ｃ１を等分する数は、メイン挿通孔３１と第１サブ挿通孔３２Ａが赤道を等分する数と同じであってもよいし、異なっていてもよい。後者の場合、第２サブ挿通孔３２Ｂが交円Ｃ１を等分する数は、メイン挿通孔３１と第１サブ挿通孔３２Ａが赤道を等分する数の約数になっていることが好ましい。
【００４８】
（６）上記実施形態において、挿通孔３０が、球体２１の外面において原点Ｏを通る直線上の一方側と他方側とに対をなして備えられていたが、一方側のみに備えられていてもよい。例えば、図１４（Ａ）に示すように、第１球体２１Ａの外面において、Ｙ軸上の一方側（図１４（Ａ）の左側）のみにメイン挿通孔３１が備えられていてもよい。この構成によれば、該メイン挿通孔３１に挿通された棒状部材１１が球体２１を突き抜けることが規制される。
【００４９】
（７）図１４（Ｂ）に示されるように、棒状部材１１の端面を、棒状部材１１の軸方向に対して傾斜した傾斜面１１Ａとしてもよい。例えば、傾斜面１１Ａの傾斜角度を４５度とすれば、２つの棒状部材１１が互いに直交するように第１球体２１Ａに挿通されたときに、傾斜面１１Ａ同士が当接し、棒状部材１１が第１球体２１Ａを突き抜けることが規制される。
【符号の説明】
【００５０】
１０    組立家具
１１    棒状部材
２１    球体
２３    金属塊
３０    挿通孔
３１    メイン挿通孔
３２Ａ    第１サブ挿通孔
３２Ｂ    第２サブ挿通孔
Ｃ１    交円
Ｌ１    第１交差軸
Ｌ２    第２交差軸
Ｍ１    円錐面
【図１】
0003215984.tif 000003
【図２】
0003215984.tif 000004
【図３】
0003215984.tif 000005
【図４】
0003215984.tif 000006
【図５】
0003215984.tif 000007
【図６】
0003215984.tif 000008
【図７】
0003215984.tif 000009
【図８】
0003215984.tif 000010
【図９】
0003215984.tif 000011
【図１０】
0003215984.tif 000012
【図１１】
0003215984.tif 000013
【図１２】
0003215984.tif 000014
【図１３】
0003215984.tif 000015
【図１４】
0003215984.tif 000016